(57)【要約】      （修正有）【課題】背もたれ部の自重による回転力に影響されないで手動による背もたれ部の回転を軽快に行わせることができる車両シート用のロータリダンパを提供する。【解決手段】ロータリダンパ１は、収容体３と、収容体３に対して回転軸心Ｏを中心として相対的にＲ１及びＲ２方向に回転自在に配されている回転体７と、収容体３に対する回転体７のＲ１方向の回転では、粘性流体５に大きな流動抵抗を、収容体３に対する回転体７のＲ２方向の回転では、当該流動抵抗よりも小さな流動抵抗を夫々生じさせるべく、空間６に配されたベーン手段と、一端部９で車両用シートの座部１１に連結される一方、他端部１２で車両用シートの背もたれ部に連結される弾性手段（渦巻きばね８６）とを具備している。【選択図】図２
2011033057.tif 000002
【特許請求の範囲】
【請求項１】
車両用シートの座部及び当該座部に初期回転位置と折畳み回転位置との間で回転できるように回転自在に連結された背もたれ部のうちの一方に固定されると共に円筒状の内周面を有した収容体と、この収容体の円筒状の内周面と当該内周面に同心の円筒状の外周面との間で粘性流体を収容する空間を形成するように収容体の内部に収容体に対して相対的に回転自在に配されていると共に車両用シートの座部及び背もたれ部のうちの他方に固定される回転体と、背もたれ部の初期回転位置から折畳み回転位置に向かう方向の収容体に対する回転体の一方の方向の相対的回転では、粘性流体に大きな流動抵抗を、背もたれ部の折畳み回転位置から初期回転位置に向かう方向の収容体に対する回転体の一方の方向の相対的回転に対して反対方向である他方の方向の相対的回転では、当該流動抵抗よりも小さな流動抵抗を夫々生じさせるべく、収容体の円筒状の内周面と回転体の円筒状の外周面との間の粘性流体を収容する空間に配されたベーン手段と、一端部で車両用シートの座部に連結される一方、他端部で車両用シートの背もたれ部に連結されると共に背もたれ部に初期回転位置と折畳み回転位置との間の所定回転位置から折畳み回転位置に近づくに連れて増大しかつ折畳み回転位置に向かう方向の回転に抗する弾性的回転力を付与する弾性手段とを具備している車両シート用のロータリダンパ。
【請求項２】
弾性手段は、所定回転位置から折畳み回転位置までにおいて背もたれ部に初期回転位置に向かう方向の弾性的回転力を付与する一方、所定回転位置から初期回転位置までにおいて背もたれ部に折畳み回転位置に向かう方向の弾性的回転力を付与するようになっている請求項１に記載の車両シート用のロータリダンパ。
【請求項３】
弾性手段は、所定回転位置から折畳み回転位置に向かう方向の背もたれ部の回転において背もたれ部の自重に基づく折畳み回転位置に向かう方向の背もたれ部に生じる漸次増大する回転力に抗する漸次増大する弾性的回転力を背もたれ部に付与するようになっている請求項１又は２に記載の車両シート用のロータリダンパ。
【請求項４】
弾性手段は、一端部で収容体に連結されていると共に他端部で回転体に連結されている渦巻きばねを具備している請求項１から３のいずれか一項に記載の車両シート用のロータリダンパ。
【請求項５】
ベーン手段は、収容体の円筒状の内周面と回転体の円筒状の外周面との間の粘性流体を収容する空間を二室に区画すると共に回転体の外周面に一体的に形成された一対の弾性的可撓ベーンと、この一対の弾性的可撓ベーンにより区画された二室のうちの少なくとも一方の室を更に二室に区画すると共に収容体の内周面に一体的に形成された他の弾性的可撓ベーンとを有しており、一対の弾性的可撓ベーンの夫々は、一端部では回転体の外周面に連接すると共に収容体に対する回転体の一方の方向の相対的回転と反対方向に向かって凸となった湾曲状の凸面と、この凸面に対応して一端部では回転体の外周面に連接すると共に凸面に沿って延びている湾曲状の凹面とを具備しており、凸面は、その他端部側で、収容体に対する回転体の相対的回転の回転方向において対峙した一対の楔空間を収容体の内周面との間で形成する円弧状凸面となっており、この円弧状凸面は、収容体に対する回転体の相対的回転の回転方向において当該円弧状凸面を間にして隣接する二室のうちの一方の室に連通する一方の楔空間の径方向の幅が収容体に対する回転体の相対的回転の回転方向において当該円弧状凸面を間にして隣接する二室のうちの他方の室に連通する他方の楔空間に向かうに連れて徐々に狭くなるように、当該一方の楔空間の径方向の幅を決定していると共に収容体に対する回転体の相対的回転の回転方向において当該円弧状凸面を間にして隣接する二室のうちの他方の室に連通する他方の楔空間の径方向の幅が収容体に対する回転体の相対的回転の回転方向において当該円弧状凸面を間にして隣接する二室のうちの一方の室に連通する一方の楔空間に向かうに連れて徐々に狭くなるように、当該他方の楔空間の径方向の幅を決定しており、一対の楔空間を通過する粘性流体は、一対の弾性的可撓ベーンの夫々を弾性的に撓ませてその粘度によって一対の楔空間の径方向の幅を決定するようになっており、一対の弾性的可撓ベーンの夫々は、初期回転位置から所定回転位置を介する折畳み回転位置への背もたれ部の座部に対する回転において他方の室から一方の室に狭められた一対の楔空間を通って流れて当該狭められた一対の楔空間によって規定されると共に当該回転に対して抗する流動抵抗を粘性流体に発生させるようになっている一方、折畳み回転位置から所定回転位置を介する初期回転位置への背もたれ部の座部に対する回転において一方の室から他方の室に広げられた一対の楔空間を通って流れて当該広げられた一対の楔空間によって規定されると共に当該回転に対して抗する流動抵抗を粘性流体に発生させるようになっている請求項１から４のいずれか一項に記載の車両シート用のロータリダンパ。
【請求項６】
凹面は、凸面の一端部から他端部にかけて徐々に当該凸面に近づくように凸面に沿って延びている請求項５に記載の車両シート用のロータリダンパ。
【請求項７】
円弧状凸面は、収容体の円筒状の内周面の曲率半径よりも小さな曲率半径を有している請求項５又は６に記載の車両シート用のロータリダンパ。
【請求項８】
他の弾性的可撓ベーンは、収容体の内周面に一体的に形成された基部と、この基部に一体的に形成されていると共に回転体の外周面に対面した円弧状面を有した弾性的に可撓性の舌部とを有している請求項５から７のいずれか一項に記載の車両シート用のロータリダンパ。
【請求項９】
所定回転位置は、背もたれ部の回転可能範囲において背もたれ部の自重に基づく折畳み回転位置に向かう方向の回転力が背もたれ部に生じ始める位置であって、弾性手段は、当該所定回転位置から折畳み回転位置まで背もたれ部に初期回転位置に向かう方向の漸次増大する弾性的回転力を付与するようになっている請求項１から８のいずれか一項に記載の車両シート用のロータリダンパ。
【発明の詳細な説明】
【技術分野】
【０００１】
本発明は、粘性流体を収容する収容体の内部にベーンを有した回転体を回転自在に収容して、粘性流体により回転体の回転に対して制動を与え、これにより座部に回転自在に連結されて折り畳み自在とされた背もたれに適度な回転制動を与える車両シート用のロータリダンパに関する。
【背景技術】
【０００２】
隙間を通過する粘性流体により、回転体の一方の回転に対しては大きな制動を与える一方、回転体の他方の回転に対しては小さな制動を与えるようにしたこの種の一方向ロータリダンパは、特許文献１等によって知られている。
【先行技術文献】
【特許文献】
【０００３】
【特許文献１】特開２００５−１８８６３６号公報
【特許文献２】特開平９−４２３５０号公報
【特許文献３】特開平９−３２９１７３号公報
【特許文献４】特開平８−１０９９４０号公報
【特許文献５】特開平８−２９６６８７号公報
【発明の概要】
【発明が解決しようとする課題】
【０００４】
自動車用等の車両シートでは、手動により背もたれ部を初期回転位置から折畳み回転位置に、またその逆に回転させる場合に、背もたれ部の回転位置に応じた背もたれ部の自重による回転力（回転モーメント）の変化で手動力を変化させることになり、特に、背もたれ部を折畳み回転位置から初期回転位置に向かって回転させる際には、大きな手動力を必要とする。
【０００５】
本発明は、前記諸点に鑑みてなされたものであって、その目的とするところは、背もたれ部の自重による回転力に影響されないで手動による背もたれ部の回転を軽快に行わせることができる車両シート用のロータリダンパを提供することにある。
【課題を解決するための手段】
【０００６】
本発明による車両シート用のロータリダンパは、車両用シートの座部及び当該座部に初期回転位置と折畳み回転位置との間で回転できるように回転自在に連結された背もたれ部のうちの一方に固定されると共に円筒状の内周面を有した収容体と、この収容体の円筒状の内周面と当該内周面に同心の円筒状の外周面との間で粘性流体を収容する空間を形成するように収容体の内部に収容体に対して相対的に回転自在に配されていると共に車両用シートの座部及び背もたれ部のうちの他方に固定される回転体と、背もたれ部の初期回転位置から折畳み回転位置に向かう方向の収容体に対する回転体の一方の方向の相対的回転では、粘性流体に大きな流動抵抗を、背もたれ部の折畳み回転位置から初期回転位置に向かう方向の収容体に対する回転体の一方の方向の相対的回転に対して反対方向である他方の方向の相対的回転では、当該流動抵抗よりも小さな流動抵抗を夫々生じさせるべく、収容体の円筒状の内周面と回転体の円筒状の外周面との間の粘性流体を収容する空間に配されたベーン手段と、一端部で車両用シートの座部に連結される一方、他端部で車両用シートの背もたれ部に連結されると共に背もたれ部に初期回転位置と折畳み回転位置との間の所定回転位置から折畳み回転位置に近づくに連れて増大しかつ折畳み回転位置に向かう方向の回転に抗する弾性的回転力を付与する弾性手段とを具備している。
【０００７】
斯かる本発明の車両シート用のロータリダンパによれば、弾性手段が背もたれ部に初期回転位置と折畳み回転位置との間の所定回転位置から折畳み回転位置に近づくに連れて増大しかつ折畳み回転位置に向かう方向の回転に抗する弾性的回転力を付与するようになっており、ベーン手段が背もたれ部の初期回転位置から折畳み回転位置に向かう方向の収容体に対する回転体の一方の方向の相対的回転では、粘性流体に大きな流動抵抗を、背もたれ部の折畳み回転位置から初期回転位置に向かう方向の収容体に対する回転体の一方の方向の相対的回転に対して反対方向である他方の方向の相対的回転では、当該流動抵抗よりも小さな流動抵抗を夫々生じさせるようになっているために、背もたれ部を初期回転位置から所定回転位置まで回転させる際には、ベーン手段により背もたれ部の回転に適度の制動を与えることができ、背もたれ部を所定回転位置から折畳み回転位置まで回転させる際には、折畳み回転位置に近づくに連れて増大する背もたれ部の自重に基づく折畳み回転位置に向かう方向の回転力がこれに抗する弾性手段の回転力により打ち消されて、背もたれ部を同方向に緩慢に折畳み回転位置まで回転させることができる一方、背もたれ部が手動により折畳み回転位置から初期回転位置に向かう方向に回転される際には、ベーン手段により小さな制動が背もたれ部の回転に与えられると共に弾性手段の回転力も徐々に減少するために、背もたれ部を小さな手動力により所定回転位置まで容易に回転させることができ、而して、手動による背もたれ部の折畳み回転位置及び初期回転位置への回転を軽快に行うことができる上に、折畳み回転位置での背もたれ部の激突を回避できる。
【０００８】
本発明では、弾性手段は、所定回転位置から折畳み回転位置までにおいて背もたれ部に初期回転位置に向かう方向の弾性的回転力を付与する一方、所定回転位置から初期回転位置までにおいて背もたれ部に折畳み回転位置に向かう方向の弾性的回転力を付与するようになっていても、所定回転位置から折畳み回転位置に向かう方向の背もたれ部の回転において背もたれ部の自重に基づく折畳み回転位置に向かう方向の背もたれ部に生じる漸次増大する回転力に抗する漸次増大する弾性的回転力を背もたれ部に付与するようになっていても、一端部で収容体に連結されていると共に他端部で回転体に連結されている渦巻きばねを具備していてもよい。
【０００９】
ベーン手段は、収容体の円筒状の内周面と回転体の円筒状の外周面との間の粘性流体を収容する空間を二室に区画すると共に回転体の外周面に一体的に形成された一対の弾性的可撓ベーンと、この一対の弾性的可撓ベーンにより区画された二室のうちの少なくとも一方の室を更に二室に区画すると共に収容体の内周面に一体的に形成された他の弾性的可撓ベーンとを有しており、一対の弾性的可撓ベーンの夫々は、一端部では回転体の外周面に連接すると共に収容体に対する回転体の一方の方向の相対的回転と反対方向に向かって凸となった湾曲状の凸面と、この凸面に対応して一端部では回転体の外周面に連接すると共に凸面に沿って延びている湾曲状の凹面とを具備しており、凸面は、その他端部側で、収容体に対する回転体の相対的回転の回転方向において対峙した一対の楔空間を収容体の内周面との間で形成する円弧状凸面となっており、この円弧状凸面は、収容体に対する回転体の相対的回転の回転方向において当該円弧状凸面を間にして隣接する二室のうちの一方の室に連通する一方の楔空間の径方向の幅が収容体に対する回転体の相対的回転の回転方向において当該円弧状凸面を間にして隣接する二室のうちの他方の室に連通する他方の楔空間に向かうに連れて徐々に狭くなるように、当該一方の楔空間の径方向の幅を決定していると共に収容体に対する回転体の相対的回転の回転方向において当該円弧状凸面を間にして隣接する二室のうちの他方の室に連通する他方の楔空間の径方向の幅が収容体に対する回転体の相対的回転の回転方向において当該円弧状凸面を間にして隣接する二室のうちの一方の室に連通する一方の楔空間に向かうに連れて徐々に狭くなるように、当該他方の楔空間の径方向の幅を決定しており、一対の楔空間を通過する粘性流体は、一対の弾性的可撓ベーンの夫々を弾性的に撓ませてその粘度によって一対の楔空間の径方向の幅を決定するようになっており、一対の弾性的可撓ベーンの夫々は、初期回転位置から所定回転位置を介する折畳み回転位置への背もたれ部の座部に対する回転において他方の室から一方の室に狭められた一対の楔空間を通って流れて当該狭められた一対の楔空間によって規定されると共に当該回転に対して抗する流動抵抗を粘性流体に発生させるようになっている一方、折畳み回転位置から所定回転位置を介する初期回転位置への背もたれ部の座部に対する回転において一方の室から他方の室に広げられた一対の楔空間を通って流れて当該広げられた一対の楔空間によって規定されると共に当該回転に対して抗する流動抵抗を粘性流体に発生させるようになっている。
【００１０】
本発明による車両シート用のロータリダンパによれば、背もたれ部が初期回転位置から折畳み回転位置に向かう方向に回転されて、一方の室を拡大すると共に他方の室を縮小するように収容体に対して回転体が回転される際には、弾性的可撓ベーンの凹面に粘性流体の圧力が付与されるために、弾性的可撓ベーンの他端部側が収容体及び回転体のうちの他方に近づいて一対の楔空間を縮小するように弾性的可撓ベーンが弾性変形される結果、粘性流体は縮小された一対の楔空間を通って他方の室から一方の室に流れて、この縮小された一対の楔空間を通過する粘性流体の流動抵抗による大きな制動が収容体に対する回転体の回転に与えられると共に折畳み回転位置に近づくに連れて増大する背もたれ部の自重に基づく折畳み回転位置に向かう方向の回転力が初期回転位置と折畳み回転位置との間の所定回転位置から折畳み回転位置に近づくに連れて増大する初期回転位置に向かう方向の弾性手段の回転力により打ち消されて、背もたれ部は同方向に緩慢に折畳み回転位置まで回転される一方、背もたれ部が手動により折畳み回転位置から初期回転位置に向かう方向に回転されて、一方の室を縮小すると共に他方の室を拡大するように収容体に対して回転体が回転される際には、弾性的可撓ベーンの湾曲状の凸面に粘性流体の圧力が付与されるために、弾性的可撓ベーンの他端部側が収容体及び回転体のうちの他方から離れて一対の楔空間を広げるように弾性的可撓ベーンが弾性変形される結果、粘性流体は広げられた一対の楔空間を通って一方の室から他方の室に流れて、この広げられた一対の楔空間を通過する粘性流体の比較的小さな流動抵抗による小さな制動が収容体に対する回転体の回転に与えられると共に折畳み回転位置から所定回転位置に近づくに連れて減少する背もたれ部の自重に基づく折畳み回転位置に向かう方向の回転力に抗する弾性手段の回転力も徐々に減少するために、背もたれ部は、小さな手動力により所定回転位置まで容易に回転されると共に所定回転位置から初期回転位置までは弾性手段による徐々に増大する弾性的制動をもって回転されるようになっており、而して、手動による背もたれ部の折畳み回転位置及び初期回転位置への回転を軽快に行うことができる上に、折畳み回転位置及び初期回転位置での背もたれ部の激突を回避できると共に背もたれ部の初期回動力を弾性手段に予め蓄えることができる。
【００１１】
また、本発明による車両シート用のロータリダンパによれば、一対の弾性的可撓ベーンの夫々により分割されていると共に収容体に対する回転体の相対的回転の回転方向において隣接する二室において、収容体に対する回転体の一方の方向の相対的回転と逆の他方の方向の相対回転側に位置した一方の室を拡大すると共に収容体に対する回転体の一方の方向の相対的回転側の他方の室を縮小するように収容体に対して回転体が回転される場合には、一対の弾性的可撓ベーンの夫々の凹面に粘性流体の圧力が付与されるために、一対の弾性的可撓ベーンの夫々の他端部側が収容体の内周面に近づいて一対の楔空間を縮小するように一対の弾性的可撓ベーンの夫々が弾性変形される結果、粘性流体は縮小された一対の楔空間を通って他方の室から一方の室に流れて、この縮小された一対の楔空間を通過する粘性流体による大きな制動が回転体の回転に与えられる一方、一方の室を縮小すると共に他方の室を拡大するように収容体に対して回転体が回転される場合には、一対の弾性的可撓ベーンの夫々の湾曲状の凸面に粘性流体の圧力が付与されるために、一対の弾性的可撓ベーンの夫々の他端部側が収容体の内周面から離れて一対の楔空間を広げるように一対の弾性的可撓ベーンの夫々が弾性変形される結果、粘性流体は広げられた一対の楔空間を通って他方の室から一方の他方の室に流れて、この広げられた一対の楔空間を通過する粘性流体による小さな制動が回転体の回転に与えられて、一方向ダンパとして動作するようになっている。
【００１２】
そして、一方向ダンパとして機能する本発明によるロータリダンパによれば、温度上昇に伴って粘度が低下する粘性流体が収容体に対する回転体の回転において一対の楔空間を通過おいて、例えば、低温下で常温（２０℃）時よりも粘度が増加した粘性流体が一対の楔空間を通過する場合には、一対の楔空間での粘性流体の圧力増大により弾性的可撓ベーンの他端部側が収容体及び回転体のうちの他方から離れるように弾性的可撓ベーンが弾性変形されて一対の楔空間が広げられる結果、粘性流体自体の粘度増加と一対の楔空間の拡大による流動抵抗の低下とにより、低温にも拘らず常温時の制動を維持できる一方、高温下で常温時よりも粘度が低下した粘性流体が一対の楔空間を通過する場合には、一対の楔空間での粘性流体の圧力減少により弾性的可撓ベーンの他端部側が収容体及び回転体のうちの他方に近づくように弾性的可撓ベーンが弾性変形されて一対の楔空間が狭められる結果、粘性流体自体の粘度低下と一対の楔空間の縮小による流動抵抗の増大とにより、高温にも拘らず常温時の制動を維持できるようになり、而して、発生する制動に温度依存性がなく、高温でも低温でも変化のない制動を得ることができる。
【００１３】
好ましい例では、凹面は、凸面の一端部から他端部にかけて徐々に当該凸面に近づくように凸面に沿って延びており、円弧状凸面は、円筒状内周面の曲率半径よりも小さな曲率半径を有している。
【００１４】
本発明では、初期回転位置と折畳み回転位置との間の所定回転位置は、背もたれ部の回転可能範囲において背もたれ部の自重に基づく折畳み回転位置に向かう方向の回転力が背もたれ部に生じ始める位置であるとよく、弾性手段は、斯かる所定回転位置から折畳み回転位置まで背もたれ部に初期回転位置に向かう方向の漸次増大する弾性的回転力を付与するようになっているとよい。
【００１５】
本発明のロータリダンパでは、他の弾性的可撓ベーンは、収容体の内周面に一体的に形成された基部と、この基部に一体的に形成されていると共に回転体の外周面に対面した円弧状面を有した弾性的に可撓性の舌部とを有していてもよい。
【００１６】
斯かる他の弾性的可撓ベーンの夫々においても、舌部は、収容体に対する回転体の相対的回転の回転方向において対峙した一対の楔空間を回転体の外周面との間で形成する円弧状凹面を有していてもよく、この円弧状凹面は、収容体に対する回転体の相対的回転の回転方向において当該円弧状凹面を間にして隣接する二室のうちの一方の室に連通する一方の楔空間の径方向の幅が当該隣接する二室のうちの他方の室に連通する他方の楔空間に向かうに連れて徐々に狭くなるように、当該一方の楔空間の径方向の幅を決定していると共に隣接する二室のうちの他方の室に連通する他方の楔空間の径方向の幅が当該隣接する二室のうちの一方の室に連通する一方の楔空間に向かうに連れて徐々に狭くなるように、当該他方の楔空間の径方向の幅を決定しており、一対の楔空間を通過する粘性流体は、他の弾性的可撓ベーンの夫々を弾性的に撓ませてその粘度によって一対の楔空間の径方向の幅を決定するようになっていてもよい。
【００１７】
斯かる他の弾性的可撓ベーンも、上述の弾性的可撓ベーンと同様に作用して、発生する制動に温度依存性がなく、高温でも低温でも変化のない制動を発揮させることができる。
【００１８】
本発明に係る粘性流体としては、シリコーンオイルを好ましい例として挙げることができるが、その他の粘性流体であってもよく、また、収容体は、金属製であってもよいが、軽量化、費用の削減等の理由により硬質の合成樹脂製であってもよく、回転体もまた、金属製であってもよいが、軽量化、費用の削減等の理由により硬質の合成樹脂製であってもよく、各弾性的可撓ベーンは、回転体とは別体にして回転体に溶接、嵌着、接着等により固着してもよいが、好ましくは回転体又は収容体本体と一体形成されており、回転体又は収容体本体と弾性的可撓ベーンとが一体形成される場合には、回転体又は収容体は、弾性的可撓ベーンに適度な弾性が付与される合成樹脂素材が用いられるのが好ましい。
【００１９】
本発明では、収容体を背もたれ部に連結する一方、回転体を座部に連結して、背もたれ部の回転に応じて収容体を回転体に対して回転させてもよく、逆に、収容体を座部に連結する一方、回転体を背もたれ部に連結して、背もたれ部の回転に応じて回転体を収容体に対して回転させてもよく、また、背もたれ部への収容体又は回転体の連結は、直接的に又は回転軸、歯車等を介して間接的に行ってもよい。
【発明の効果】
【００２０】
本発明によれば、背もたれ部の自重による回転力に影響されないで手動による背もたれ部の回転を快適に行わせることができる車両シート用のロータリダンパを提供することができる。
【図面の簡単な説明】
【００２１】
【図１】本発明の好ましい一例の図２のＩ−Ｉ線矢視断面説明図である。
【図２】図１に示す例の図４のＩＩ−ＩＩ線矢視断面説明図である。
【図３】図１に示す例の図４のＩＩＩ−ＩＩＩ線矢視断面説明図である。
【図４】図１に示す例の正面図である。
【図５】図１に示す例の背面図である。
【図６】図１に示す例の斜視図である。
【図７】図１に示す例の一部拡大説明図である。
【図８】図１に示す例に回転軸を装着した説明図である。
【図９】図８に示す回転軸の斜視図である。
【図１０】図１に示す例を車両シートに装着した例の説明図である。
【図１１】図１に示す例の動作説明図である。
【図１２】図１に示す例の動作説明図である。
【発明を実施するための形態】
【００２２】
次に本発明の実施の形態を、図に示す好ましい例に基づいて更に詳細に説明する。なお、本発明はこれら例に何等限定されないのである。
【００２３】
図１から図１０において、本例の車両シート用のロータリダンパ１は、円筒状の内周面２を有した合成樹脂製の収容体３と、内周面２と当該内周面２に回転軸心Ｏに関して同心の円筒状の外周面４との間でシリコーンオイル等からなって温度上昇に伴って粘度が低下する粘性流体５を収容する空間６を形成するように収容体３の内部に収容体３に対して回転軸心Ｏを中心として相対的にＲ１及びＲ２方向に回転自在に配されている合成樹脂製の回転体７と、収容体３に対する回転体７の一方の方向の相対的回転、本例では収容体３に対する回転体７のＲ１方向の回転では、粘性流体５に大きな流動抵抗を、収容体３に対する回転体７の一方の方向の相対的回転に対して反対方向の他方の方向の相対的回転では、本例では収容体３に対する回転体７のＲ２方向の回転では、当該流動抵抗よりも小さな流動抵抗を夫々生じさせるべく、空間６に配されたベーン手段８と、一端部９で車両用シート１０の座部１１に連結される一方、他端部１２で車両用シートの背もたれ部１３に連結されると共に背もたれ部１３に初期回転位置Ｐ０と折畳み回転位置Ｐ２との間の所定回転位置Ｐ１から折畳み回転位置Ｐ２に近づくに連れて増大しかつ折畳み回転位置Ｐ２に向かう方向であるＲ１方向の回転に抗する弾性的回転力を付与する弾性手段１４とを具備している。
【００２４】
座部１１及び当該座部１１に初期回転位置Ｐ０と折畳み回転位置Ｐ２との間で回転できるようにＲ１及びＲ２方向に回転自在に連結、支持された背もたれ部１３のうちの一方、本例では座部１１に固定される収容体３は、円筒状の内周面２を有している筒部１５と、筒部１５の軸心方向であるＡ方向の一方の環状の端部１６に径方向内方に向かって一体的に形成されていると共に貫通孔１７を規定した内周面１８を有した鍔部１９と、筒部１５のＡ方向の他方の環状の端部２０に複数のねじ２１により固着された蓋体２２とを具備している。
【００２５】
鍔部１９は、Ａ方向の一方の側面２５で空間６のＡ方向の一方を規定しており、蓋体２２は、中央に貫通孔３１を有していると共にＡ方向の一方の側面３２で内部２のＡ方向の他方を規定した楕円形の板体からなる蓋体本体３３と、蓋体本体３３の側面３２に一体的にＡ方向に突出して形成された円環状の小径の突起３４と、側面３２に一体的にＡ方向に突出して且つ突起３４と同心に形成されていると共に突起３４よりも大径の突起３５とを具備しており、筒部１５のＡ方向の他方の環状の端部２０に複数のねじ２１により固着された蓋体本体３３は、両端に貫通孔３６を有しており、貫通孔３６を通ったねじ３７により座部１１に固定されており、収容体３は、斯かる蓋体本体３３を介して座部１１に固定されている。
【００２６】
内周面２との間で空間６を形成する外周面４と中空部４１を規定する内周面４２とを有すると共に座部１１及び背もたれ部１３のうちの他方、本例では背もたれ部１３に固定される中空の回転体７は、軸方向Ａの円環状の各端部４３及び４４で収容体３の鍔部１９の内周面１８と突起３４の外周面とにＲ１及びＲ２方向に回転自在となるように支持されており、中空部４１を規定する内周面４２は、凹凸（セレーション）４５を有しており、回転体７の斯かる凹凸４５には回転軸５１の一端部５２側の凹凸（セレーション）５３が嵌合しており、回転軸５１は、その他端部側で座部１１及び座部１１にＲ１及びＲ２方向に回転自在に連結された背もたれ部１３のうちの他方、本例では背もたれ部１３に固着されており、回転軸５１を介して、より詳細には、凹凸４５及び凹凸４５に嵌合する回転軸５１の凹凸５３を介して背もたれ部１３に連結されている回転体７は、回転軸５１のＲ１及びＲ２方向の回転、延いては背もたれ部１３のＲ１及びＲ２方向の回転で同方向に回転されるようになって、こうして、回転体７は、背もたれ部１３に固定されている。
【００２７】
回転軸５１は、凹凸５３を外周面に有していると共に中空部４１に配された一端部５２側の大径部５５と、貫通孔３１を通って蓋体本体３３のＡ方向の他方の側面５６から突出していると共に大径部５５と一体な一端部５２側の小径部５７と、小径部５７に形成されたスリット５８とを具備しており、小径部５７は、貫通孔３１における蓋体本体３３にＲ１及びＲ２方向に摺動回転自在に接触して支持されており、小径部５７の先端部５９は、スリット５８により二股状になっている。
【００２８】
鍔部１９の内周面１８と回転体７の軸方向Ａの端部４３との間、筒体１５の端部２０と端部２０に嵌合された突起３５との間及び回転体７の軸方向Ａの端部４４と突起３４との間の夫々には、空間６から収容体３及び回転体７外部への粘性流体５の漏出を防止するシールリング６０が配されている。
【００２９】
背もたれ部１３の初期回転位置Ｐ０から折畳み回転位置Ｐ２に向かう方向であるＲ１方向の回転では、粘性流体５に大きな流動抵抗を、背もたれ部１３の折畳み回転位置Ｐ２から初期回転位置Ｐ０に向かう方向であるＲ２方向の回転では、当該流動抵抗よりも小さな流動抵抗を夫々生じさせるベーン手段８は、収容体３の円筒状の内周面２と内周面２に同心の回転体７の円筒状の外周面４との間の粘性流体５を収容する収容体３の内部の円環状の空間６を二室６１及び６２に区画すると共に回転体７の外周面４に一体的に形成された一対の弾性的可撓ベーン６３及び６４と、一対の弾性的可撓ベーン６３及び６４により区画された二室６１及び６２のうちのすくなくとも一方の室、本例では二室６１及び６２の夫々を更に二室６５及び６６並びに６７及び６８に区画すると共に収容体３の内周面２に一体的に形成された他の弾性的可撓ベーンとしての一対の弾性的可撓ベーン６９及び７０とを有している。
【００３０】
弾性的可撓ベーン６３及び６４並びに６９及び７０において、弾性的可撓ベーン６３と弾性的可撓ベーン６４と、そして、弾性的可撓ベーン６９と弾性的可撓ベーン７０とは、軸心Ｏに関して対称の形状をもって互いに同様に形成されているので、以下、弾性的可撓ベーン６３及び弾性的可撓ベーン６９を詳細に説明し、弾性的可撓ベーン６４及び弾性的可撓ベーン７０については、弾性的可撓ベーン６３及び弾性的可撓ベーン６９の符号と同一の符号をもって説明、図示する。
【００３１】
室６６と室６７とを区画する弾性的可撓ベーン６３は、一端部では回転体７の外周面４に連接すると共にＲ２方向に向かって凸となった湾曲状の凸面７１と、凸面７１に対応して一端部では回転体７の外周面４に連接すると共に凸面７１の一端部から他端部にかけて徐々に当該凸面７１に近づくように凸面７１に沿って延びて凸面７１の終端と共に終端している湾曲状の凹面７２とを具備している。
【００３２】
凸面７１は、その他端部側で、収容体３に対する回転体７の相対的回転の回転方向ＲでもあるＲ１及びＲ２方向において対峙した一対の楔空間７３及び７４を筒部１５の内周面２との間で形成すると共に内周面２の曲率半径よりも小さな曲率半径を有している円弧状凸面７５となっており、円弧状凸面７５は、室６６に連通する一方の楔空間７３の径方向であるＢ方向の幅が回転方向Ｒにおいて当該円弧状凸面７５を間にして隣接する二室６６及び６７のうちの他方の室６７に連通する他方の楔空間７４に向かうに連れて徐々に狭くなるように、当該一方の楔空間７３の径方向の幅を決定していると共に室６７に連通する他方の楔空間７４のＢ方向の幅が回転方向Ｒにおいて当該円弧状凸面７５を間にして隣接する二室６６及び６７のうちの一方の室６６に連通する楔空間７３に向かうに連れて徐々に狭くなるように、当該他方の楔空間７４のＢ方向の幅を決定しており、一対の楔空間７３及び７４を通過する粘性流体５は、弾性的可撓ベーン６３を弾性的に撓ませてその粘度によって一対の楔空間７３及び７４のＢ方向の幅を決定するようになっている。
【００３３】
凸面７１及び凹面７２を有すると共に外周面４から内周面２に向かって漸次減少する厚みをもった弾性的可撓ベーン６３は、回転体７に連接された基部７６と、円弧状凸面７５を有する自由端部７７とを有して円弧状に一体形成されている。
【００３４】
一対の楔空間７３及び７４を通過する粘性流体５は、収容体３に対する回転体７のＲ１方向の回転において他方の室６７から一方の室６６に狭められた一対の楔空間７３及び７４を通って流れて当該狭められた一対の楔空間７３及び７４によって規定されると共に当該Ｒ１方向の回転に対して抗する大きな流動抵抗を発生するようになっている一方、収容体３に対する回転体７のＲ２方向の回転において一方の室６６から他方の室６７に広げられた一対の楔空間７３及び７４を通って流れて当該広げられた一対の楔空間７３及び７４によって規定されると共に当該Ｒ２方向の回転に対して抗する小さな流動抵抗を発生するようになっている。
【００３５】
室６５と室６８とを区画する弾性的可撓ベーン６４も弾性的可撓ベーン６３と同様に形成されており、弾性的可撓ベーン６４における一対の楔空間７３及び７４を通過する粘性流体５も、弾性的可撓ベーン６４を弾性的に撓ませてその粘度によって一対の楔空間７３及び７４のＢ方向の幅を決定するようになっており、而して、弾性的可撓ベーン６４における一対の楔空間７３及び７４を通過する粘性流体５は、収容体３に対する回転体７のＲ１方向の回転において他方の室６５から一方の室６８に狭められた一対の楔空間７３及び７４を通って流れて当該狭められた一対の楔空間７３及び７４によって規定されると共に当該Ｒ１方向の回転に対して抗する大きな流動抵抗を発生するようになっている一方、収容体３に対する回転体７のＲ２方向の回転において一方の室６８から他方の室６５に広げられた一対の楔空間７３及び７４を通って流れて当該広げられた一対の楔空間７３及び７４によって規定されると共に当該Ｒ２方向の回転に対して抗する小さな流動抵抗を発生するようになっている。
【００３６】
而して、一対の弾性的可撓ベーン６３及び６４の夫々は、初期回転位置Ｐ０から所定回転位置Ｐ１を介する折畳み回転位置Ｐ２への背もたれ部１３の座部１１に対するＲ１方向の回転において他方の室６７及び６５の夫々から一方の室６６及び６８の夫々に狭められた一対の楔空間７３及び７４を通って流れて当該狭められた一対の楔空間７３及び７４によって規定されると共に当該Ｒ１方向の回転に対して抗する流動抵抗を粘性流体５に発生させるようになっている一方、折畳み回転位置Ｐ２から所定回転位置Ｐ１を介する初期回転位置Ｐ０への背もたれ部１３の座部１１に対するＲ２方向の回転において一方の室６６及び６８の夫々から他方の室６７及び６５の夫々に広げられた一対の楔空間７３及び７４を通って流れて当該広げられた一対の楔空間７３及び７４によって規定されると共に当該Ｒ２方向の回転に対して抗する流動抵抗を粘性流体５に発生させるようになっている。
【００３７】
室６１を弾性的可撓ベーン６３及び６４と協働して回転方向Ｒにおいて隣接する二室６５及び６６に区画する弾性的可撓ベーン６９は、弾性的可撓ベーン６３の凸面７１と相補的な円弧状の凹面８１を当該弾性的可撓ベーン６３の凸面７１に回転方向Ｒにおいて対面して有している一方、断面Ｖ若しくはＵ状の凹面８２を弾性的可撓ベーン６４の凹面７２に回転方向Ｒにおいて対面して有している基部８３と、基部８３の先端からＲ２方向に伸びて基部８３に一体的に形成されていると共に円弧状面８４で回転体７の外周面４に対面した弾性的に可撓性の舌部８５とを有しており、回転体７の外周面４と外周面４の曲率半径よりも大きな曲率半径を有した舌部８５の円弧状面８４との間には、一対の楔空間７３及び７４と同様の楔空間が形成されるようになっており、基部８３からＲ２方向に一体的に延びた舌部８５の円弧状面８４において一対の楔空間７３及び７４と同様の楔空間を形成する弾性的可撓ベーン６９は、弾性的可撓ベーン６３と同様に、収容体３に対する回転体７のＲ１方向の相対的回転では、当該一対の楔空間を介する室６５から室６６への粘性流体５の流動に大きな抵抗をもって許容する一方、収容体３に対する回転体７のＲ２方向の相対的回転では、室６６から室６５への粘性流体５の流動に小さな抵抗をもって許容するようになっている。
【００３８】
室６２を弾性的可撓ベーン６３及び６４と協働して回転方向Ｒにおいて隣接する二室６７及び６８に区画する弾性的可撓ベーン７０も、弾性的可撓ベーン６９と同様に形成されており、回転体７の外周面４と舌部８５の円弧状面８４との間に一対の楔空間を形成する弾性的可撓ベーン７０は、弾性的可撓ベーン６９と同様に、Ｒ１方向の収容体３に対する回転体７の相対的回転では、当該一対の楔空間を介する室６７から室６８への粘性流体５の流動に大きな抵抗をもって許容する一方、Ｒ２方向の収容体３に対する回転体７の相対的回転では、室６８から室６７への粘性流体５の流動に小さな抵抗をもって許容するようになっている。
【００３９】
弾性的可撓ベーン６３及び６４のＡ方向の一方の端面は、鍔部１９の側面２５にＲ１及びＲ２方向に滑り移動自在に密に接触しており、弾性的可撓ベーン６３及び６４のＡ方向の他方の端面も、蓋体本体３３の側面３２にＲ１及びＲ２方向に滑り移動自在に密に接触しており、基部８３が筒部１５の内周面２に一体的に形成された弾性的可撓ベーン６９及び７０の部位は、Ａ方向の一方の端面で鍔部１９の側面２５に一体的に形成されており、基部８３が突起３５の内周面に一体的に形成された弾性的可撓ベーン６９及び７０の部位は、Ａ方向の一方の端面８８で、基部８３が筒部１５の内周面２に一体的に形成された弾性的可撓ベーン６９及び７０の部位のＡ方向の他方の端面８９にぴったりと液密に接触しており、Ａ方向の他方の端面で蓋体本体３３の側面３２に一体的に形成されている。
【００４０】
弾性手段１４は、その一端部９がねじ３７に巻き付けられて係止されており、その他端部１２がスリット５８に嵌め込まれて、蓋体本体３３の他方の側面５６に沿って巻かれた渦巻きばね８６を具備している。
【００４１】
渦巻きばね８６は、収容体３及び回転体７のうちの一方である収容体３の蓋体本体３３にねじ３７を介して連結されていると共に他端部１２で収容体３及び回転体７のうちの他方である回転体７に回転軸５１を介して連結されており、背もたれ部１３が所定回転位置Ｐ１から折畳み回転位置Ｐ２にＲ１方向に回転されて回転軸５１も同方向に回転される場合には、縮径方向に巻かれてＲ１方向の回転に抗する漸次増大する弾性力を発生する一方、背もたれ部１３が折畳み回転位置Ｐ２から所定回転位置Ｐ１に回転されて回転軸５１も同方向に回転される場合には、拡径方向に巻き戻されてＲ１方向の回転に抗する弾性力を漸次減少するようになっており、更に、背もたれ部１３が所定回転位置Ｐ１から初期回転位置Ｐ０にＲ２方向に回転されて回転軸５１も同方向に回転される場合には、拡径方向に巻き戻されてＲ２方向の回転に抗する漸次増大する弾性力を発生する一方、背もたれ部１３が初期回転位置Ｐ０から所定回転位置Ｐ１にＲ１方向に回転されて回転軸５１も同方向に回転される場合には、縮径方向に巻かれてＲ２方向の回転に抗する弾性力を漸次減少するようになっており、而して、所定回転位置Ｐ１では弾性力を発生しない渦巻きばね８６は、背もたれ部１３の座部１１に対する所定回転位置Ｐ１から折畳み回転位置Ｐ２までにおいて、背もたれ部１３の自重に起因する所定回転位置Ｐ１から折畳み回転位置Ｐ２に向かうに連れて漸次増大するように変化する折畳み回転位置Ｐ２に向かう方向であるＲ１方向の回転力に抗するＲ２方向の弾性的回転力を背もたれ部１３の座部１１に対する回転に付与するようになっている。
【００４２】
而して、渦巻きばね８６は、所定回転位置Ｐ１から折畳み回転位置Ｐ２まで背もたれ部１３に初期回転位置Ｐ０に向かう方向であるＲ２方向の漸次増大する弾性的回転力を付与する一方、所定回転位置Ｐ１から初期回転位置Ｐ０まで背もたれ部１３に折畳み回転位置Ｐ２に向かう方向であるＲ１方向の弾性的回転力を付与するようになっている。
【００４３】
自動車の車体９１に取り付けられた座部１１と座部１１にＲ１及びＲ２方向に回転自在に連結された背もたれ部１３とを具備している車両用シート１０においては、背もたれ部１３は、自動車の前後方向に対して直交すると共に回転軸心Ｏを通る鉛直面に対して所定角度α、例えばα＝２５°だけ後方に傾いた初期回転位置Ｐ０から同じく自動車の前後方向に対して直交すると共に回転軸心Ｏを通る鉛直面に対して所定角度所定角度β、例えばβ＝９０°だけ前方に傾いた折畳み回転位置Ｐ２まで回転軸心Ｏを中心としてＲ１及びＲ２方向に回転自在に座部１１に連結されており、初期回転位置Ｐ０では、図示しないロック解除自在なロック機構によりＲ１方向及びＲ２方向の回転を禁止されるようになっており、折畳み回転位置Ｐ２では、図示しない停止部材により折畳み回転位置Ｐ２を越えるＲ１方向の回転を禁止されるようになっており、ロック機構のロック解除で、初期回転位置Ｐ０から回転軸心Ｏを通る鉛直面に位置する所定回転位置Ｐ１までは一対の楔空間７３及び７４を含む各対の楔空間を通過する比較的大きな粘性流体５の流動抵抗に抗して渦巻きばね８６の縮径弾性回転力によりＲ１方向に回転されるようになっており、所定回転位置Ｐ１から折畳み回転位置Ｐ２までは、一対の楔空間７３及び７４を含む各対の楔空間を通過する比較的大きな粘性流体５の流動抵抗と背もたれ部１３の自重に基づく漸次増大するＲ１方向の回転力に抗する渦巻きばね８６のＲ２方向の拡径弾性回転力とに抗して自重によりＲ１方向に回転するようになっている一方、折畳み回転位置Ｐ２から所定回転位置Ｐ１までは、背もたれ部１３の自重に基づく漸次減少するＲ１方向の回転力に抗する渦巻きばね８６のＲ２方向の漸次減少する拡径弾性回転力の助力の下で、一対の楔空間７３及び７４を含む各対の楔空間を通過する比較的小さな粘性流体５の流動抵抗に抗して手動によりＲ２方向に回転されるようになっており、所定回転位置Ｐ１から初期回転位置Ｐ０までは、一対の楔空間７３及び７４を含む各対の楔空間を通過する比較的小さな粘性流体５の流動抵抗と徐々に増加する渦巻きばね８６のＲ１方向の縮径弾性回転力に抗して手動によりＲ２方向に回転されるようになっていると共に渦巻きばね８６に縮径弾性回転力を蓄えさせるようになっている。
【００４４】
一方向ロータリダンパとして機能する以上の車両シート用のロータリダンパ１では、図１１に示す回転体７の回転位置（初期回転位置Ｐ０に相当）で、ロック機構のロック解除により背もたれ部１３が渦巻きばね８６の縮径弾性力の援助の下でＲ１方向に回転されて、室６５及び６７を縮小する一方、室６６及び６８を拡大するように収容体３に対して回転体７がＲ１方向に回転される際には、弾性的可撓ベーン６３及び６４の凹面７２及び弾性的可撓ベーン６９及び７０の凹面８２に粘性流体５の圧力が付与されるために、弾性的可撓ベーン６３及び６４の他端部側である自由端部７７側が収容体３の内周面２に、弾性的可撓ベーン６９及び７０の舌部８５側が回転体７の外周面４に夫々近づいて一対の楔空間７３及び７４を含む各対の楔空間を縮小するように弾性的可撓ベーン６３及び６４並びに弾性的可撓ベーン６９及び７０が弾性変形される結果、粘性流体５は縮小された一対の楔空間７３及び７４を含む各対の楔空間を通って室６５及び６７の夫々から室６８及び６６の夫々及び室６６及び６８の夫々に流れて、この縮小された楔空間７３及び７４を含む各対の楔空間を通過する粘性流体５の比較的大きな流動抵抗による大きな制動を回転体７のＲ１方向の回転に与えて背もたれ部１３を同方向にゆっくりと所定回転位置Ｐ１まで回転させ、所定回転位置Ｐ１から折畳み回転位置Ｐ２まで背もたれ部１３がＲ１方向に回転される際には、渦巻きばね８６が漸次縮径されて背もたれ部１３の自重に基づく折畳み回転位置Ｐ２に向かうに連れて漸次増加するＲ１方向の回転力が渦巻きばね８６の漸次増大するＲ２方向の拡径弾性回転力により打ち消されて背もたれ部１３のＲ１方向の回転が縮小された一対の楔空間７３及び７４を含む各対の楔空間を通過する粘性流体５の比較的大きな流動抵抗による大きな制動でもって行われる一方、図１２に示す回転体７の回転位置（折畳み回転位置Ｐ２に相当）で、折畳み回転位置Ｐ２から所定回転位置Ｐ１まで背もたれ部１３が手動によりＲ２方向に回転されて、室６５及び６７を拡大する一方、室６６及び６８を縮小するように収容体３に対して回転体７がＲ２方向に回転される際には、弾性的可撓ベーン６３及び６４の各湾曲状の凸面７１及び弾性的可撓ベーン６９及び７０の凹面８１に粘性流体５の圧力が付与されるために、弾性的可撓ベーン６３及び６４の各自由端部７７側が収容体３の内周面２から、そして弾性的可撓ベーン６９及び７０の舌部８５が回転体７の外周面４から夫々離れて一対の楔空間７３及び７４を含む各対の楔空間を広げるように弾性的可撓ベーン６３及び６４並びに弾性的可撓ベーン６９及び７０が弾性変形される結果、粘性流体５は広げられた一対の楔空間７３及び７４を含む各対の楔空間を通って室６６及び６８の夫々から室６７及び６５の夫々及び室６５及び６７の夫々に流れて、この広げられた一対の楔空間７３及び７４を含む各対の楔空間通過する粘性流体５の比較的小さな流動抵抗による小さな制動と渦巻きばね８６の漸次減少するＲ２方向の拡径弾性回転力とが回転体７のＲ２方向の回転に与えられて折畳み回転位置Ｐ２から所定回転位置Ｐ１まで背もたれ部１３が手動によりＲ２方向に回転される結果、背もたれ部１３は、小さな手動力により所定回転位置Ｐ１まで回転させることができ、所定回転位置Ｐ１から初期回転位置Ｐ０まで背もたれ部１３が手動により更にＲ２方向に回転されて、室６５及び６７を更に拡大する一方、室６６及び６８を更に縮小するように収容体３に対して回転体１２がＲ２方向に回転される際には、広げられた一対の楔空間７３及び７４を含む各対の楔空間を通過する粘性流体５の比較的小さな流動抵抗による小さな制動と渦巻きばね８６に縮径弾性回転力を蓄えるための渦巻きばね８６による徐々に増大する弾性的制動とを手動力によるＲ２方向の回転において受けるようになっている。
【００４５】
斯かるロータリダンパ１によれば、背もたれ部１３を所定回転位置Ｐ１から折畳み回転位置Ｐ２まで回転させる際には、背もたれ部１３の自重に基づく折畳み回転位置Ｐ２に向かうに連れて漸次増加する回転力による急激な背もたれ部１３の回転を渦巻きばね８６により防止できると共に、背もたれ部１３を初期回転位置Ｐ０から折畳み回転位置Ｐ２まで回転させる際には、ベーン手段８により粘性流体５に大きな流動抵抗を生じさせることができる結果、背もたれ部１３の折畳み回転位置Ｐ２に向かう方向の回転に適度の抵抗を与えることができて折畳み回転位置Ｐ２での背もたれ部１３の停止部材への激突を避けることができる一方、背もたれ部１３を手動により折畳み回転位置Ｐ２から所定回転位置Ｐ１まで回転させる際には、渦巻きばね８６による補助に加えて、ベーン手段８により生じる粘性流体５の流動抵抗を低下させることができる結果、背もたれ部１３を手動により折畳み回転位置Ｐ２から初期回転位置Ｐ１まで容易に回転させることができる。
【００４６】
また、一方向ダンパとして機能するロータリダンパ１では、温度上昇に伴って粘度が低下する粘性流体５が回転体７のＲ１及びＲ２方向の回転において一対の楔空間７３及び７４を含む各対の楔空間を通過するようになっているために、例えば、低温下で常温時より粘度が増加した粘性流体５が楔空間７３及び７４を通過する場合には、楔空間７３及び７４での粘性流体５の圧力増大により弾性的可撓ベーン６３の自由端部７７側が収容体３の内周面２から常温時よりより離れるように弾性的可撓ベーン６３が大きく弾性変形されて楔空間７３及び７４が常温時と比較して大きく広げられる結果、粘性流体５自体の粘度増加による流動抵抗の増大と楔空間７３及び７４の拡大による流動抵抗の低下とにより、低温にも拘らず常温時の制動を維持できる一方、高温下で常温時より粘度が低下した粘性流体５が楔空間７３及び７４を通過する場合には、楔空間７３及び７４での粘性流体の圧力減少により弾性的可撓ベーン６３の自由端部７７側が収容体３の内周面２に常温時より近づくように弾性的可撓ベーン６３が小さく弾性変形されて楔空間７３及び７４が狭められる結果、粘性流体５自体の粘度低下による流動抵抗の減少と楔空間７３及び７４の縮小による流動抵抗の増大とにより、高温にも拘らず常温時の制動を維持できるようになり、而して、発生する制動に温度依存性がなく、高温でも低温でも変化のない制動を得ることができると共に背もたれ部１３の自重による回転力を渦巻きばね８６により軽減することができる結果、背もたれ部１３を折畳み回転位置Ｐ２に衝撃なしにもたらすことができると共に小さな手動力により背もたれ部１３を所定回転位置Ｐ１まで戻し回転させることができる。
【００４７】
以上のロータリダンパ１は、二対の弾性的可撓ベーン６３及び６４並び６９及び７０を有しているが、本発明のロータリダンパは、一対の弾性的可撓ベーン６３及び６４と弾性的可撓ベーン６９又は７０を有していてもよく、また、三対以上の弾性的可撓ベーンを有していてもよい。
【符号の説明】
【００４８】
１  ロータリダンパ
２  内周面
３  収容体
４  外周面
５  粘性流体
６  空間
７  回転体
８  ベーン手段
９  一端部
１０  車両用シート
１１  座部
１２  他端部
１３  背もたれ部
１４  弾性手段
【図１】
2011033057.tif 000003
【図２】
2011033057.tif 000004
【図３】
2011033057.tif 000005
【図４】
2011033057.tif 000006
【図５】
2011033057.tif 000007
【図６】
2011033057.tif 000008
【図７】
2011033057.tif 000009
【図８】
2011033057.tif 000010
【図９】
2011033057.tif 000011
【図１０】
2011033057.tif 000012
【図１１】
2011033057.tif 000013
【図１２】
2011033057.tif 000014